(57)【要約】本発明は、砂塵等の異物が混入しても、ロテータ（２０）とステータ（３０）との電気的な接続を確実に維持することができるステアリングロールコネクタ（１０）を提供することを目的とする。ロテータ（２０）とステータ（３０）とを相対回転可能に同軸上に嵌合し、ロテータ（２０）とステータ（３０）とで収容空間（Ｓ）を構成し、収容空間（Ｓ）底部に複数の回転ローラー（４５）を軸支するリテーナ（４０）と、少なくとも１本のフラットケーブル（Ｃ）を収容したステアリングロールコネクタ（１０）であって、リテーナ（４０）上部に、一端をロテータ（２０）側に接続し、他端をステータ（３０）側に接続し、回転ローラー（４５）の１つに巻き掛けて巻き方向を反転する反転部分（Ｄｒ）を有するダミーケーブル（Ｄ）と、フラットケーブル（Ｃ）とを巻き重ねて収容し、リテーナ（４０）に、ダミーケーブル（Ｄ）の反転部分（Ｄｒ）の押し付けを許容する押付ガイド部（４６）を備えた。
2012121313.tif 000002
【特許請求の範囲】
【請求項１】
環状の回転側リング板及び該回転側リング板の内周縁に形成された円筒状の内周筒部で構成するロテータと、環状の固定側リング板及び該固定側リング板の外周縁に形成された円筒状の外周筒部で構成するステータとを、時計回り方向及び反時計回り方向に相対回転可能に同軸上に嵌合し、
前記ロテータの回転側リング板及び内周筒部と、前記ステータの固定側リング板及び外周筒部とで収容空間を構成し、
該収容空間底部に、複数の回転ローラーを軸支する環状のリテーナを載置するとともに、
前記収容空間における前記リテーナ上部に、
前記ロテータ側と前記ステータ側とを電気的に接続し、巻き方向を反転する反転部分を有した少なくとも１本のフラットケーブルを、巻き締め及び巻き戻し可能に収容した回転コネクタ装置であって、
前記収容空間における前記リテーナ上部に、
長手方向の一端をロテータ側に接続固定し、他端をステータ側に接続固定し、前記回転ローラーの１つに対して直接巻き掛けて巻き方向を反転する反転部分を有するとともに、前記回転ローラーに沿って巻き締め及び巻き戻し可能な可撓性及び弾性を有するダミーケーブルと、前記フラットケーブルとを巻き重ねて収容し、
前記リテーナ上に、
前記ダミーケーブルの反転部分の直接押し付けを許容する押付ガイド部を備えた
回転コネクタ装置。
【請求項２】
前記フラットケーブルの反転部分を、
前記回転ローラー間の周方向略中間に配置し、
前記回転ローラー近傍の前記リテーナ上に、
前記ロテータの回転に追従して前記リテーナが回転を開始する間に、前記フラットケーブルの前記反転部分が周方向に移動する移動範囲以上の間隔を設けて、前記ダミーケーブルあるいは前記フラットケーブルの径方向の動きを規制する規制部を立設した
請求項１に記載の回転コネクタ装置。
【請求項３】
前記ダミーケーブルの長手方向の長さを
前記フラットケーブルの長手方向の長さより短く形成した
請求項１または２に記載の回転コネクタ装置。
【発明の詳細な説明】
【技術分野】
【０００１】
この発明は、例えば、自動車のステアリングホイール側と車体側との間を電気的に接続するような回転コネクタ装置に関する。
【背景技術】
【０００２】
自動車等の車両に装着される回転コネクタ装置は、主に車体側に固定するステータと、ステアリングホイール側に組み付けるロテータとを相対的に回転可能に同軸上に組み付けて構成している。さらに、ステータとロテータとで構成する収容空間内にフラットケーブルを収容している。【０００３】
このフラットケーブルは、ステアリングホイール側に装備したホーンモジュール、エアバックモジュール、あるいはオーディオコントロールモジュールなどの電装品と、車体側電源との電気的な接続を行う。【０００４】
このような回転コネクタ装置として、例えば、特許文献１において、収容空間の底面に配置され、フラットケーブルをステアリングホイールの回転軸回りに回転案内するリテーナを備えたものが提案されている。【０００５】
特許文献１のリテーナについて詳述すると、図７に示すように、リテーナ４０には、複数の回転ローラー４５と、回転ローラー４５の近傍に立設した押付ガイド部４６が設けられている。そして、収容空間Ｓにおいて、このリテーナ４０がフラットケーブルＣの巻き締め及び巻き戻しを回転補助することで、回転コネクタ装置は、ステアリング操作に追従して円滑に回転動作することができるとされている。【０００６】
より詳しくは、収容空間Ｓにおいて、フラットケーブルＣは、ステータ３０の外筒体３２の内周面に沿って巻き付けた外側巻き部分Ｃｏと、リテーナ４０に軸支された１つの回転ローラー４５に巻き掛けてＵターンする反転部分Ｃｒと、ロテータ２０の内周筒部２２の外周面に沿って巻き付けた内側巻き部分Ｃｉとで構成している。【０００７】
このような構成の回転コネクタ装置において、ロテータ２０が時計回り（図７中のＸ方向）に回転すると、フラットケーブルＣの反転部分Ｃｒが押付ガイド部４６に押し付けられ、その押し付け力によって、リテーナ４０は、時計回りに回転することができるとされている。【０００８】
一方、ロテータが反時計回り（図７中のＹ方向）に回転すると、フラットケーブルＣの反転部分Ｃｒが回転ローラー４５に沿って、反時計回りに引っ張られ、リテーナ４０は、反時計回りに回転することができるとされている。【０００９】
ところで、収容空間Ｓに砂塵等の異物が混入すると、ロテータ２０が回転した際、フラットケーブルＣの反転部分Ｃｒが摩耗して不具合が生じるおそれがある。  
例えば、ロテータ２０が時計回りに回転した際、フラットケーブルＣの反転部分Ｃｒと押付ガイド部４６との接触部に砂塵等の異物が混入すると、反転部分Ｃｒが異物と擦れ動くことで、フラットケーブルＣが摩耗して不具合が生じるおそれがある。
【先行技術文献】
【特許文献】
【００１０】
【特許文献１】特開２００３−１９７３３９号公報
【発明の概要】
【発明が解決しようとする課題】
【００１１】
本発明は、上述の問題に鑑み、砂塵等の異物が混入しても、ロテータとステータとの電気的な接続を確実に維持することができる回転コネクタ装置を提供することを目的とする。
【課題を解決するための手段】
【００１２】
この発明は、環状の回転側リング板及び該回転側リング板の内周縁に形成された円筒状の内周筒部で構成するロテータと、環状の固定側リング板及び該固定側リング板の外周縁に形成された円筒状の外周筒部で構成するステータとを、時計回り方向及び反時計回り方向に相対回転可能に同軸上に嵌合し、前記ロテータの回転側リング板及び内周筒部と、前記ステータの固定側リング板及び外周筒部とで収容空間を構成し、該収容空間底部に、複数の回転ローラーを軸支する環状のリテーナを載置するとともに、前記収容空間における前記リテーナ上部に、前記ロテータ側と前記ステータ側とを電気的に接続し、巻き方向を反転する反転部分を有した少なくとも１本のフラットケーブルを、巻き締め及び巻き戻し可能に収容した回転コネクタ装置であって、前記収容空間における前記リテーナ上部に、長手方向の一端をロテータ側に接続固定し、他端をステータ側に接続固定し、前記回転ローラーの１つに対して直接巻き掛けて巻き方向を反転する反転部分を有するとともに、前記回転ローラーに沿って巻き締め及び巻き戻し可能な可撓性及び弾性を有するダミーケーブルと、前記フラットケーブルとを巻き重ねて収容し、前記リテーナ上に、前記ダミーケーブルの反転部分の直接押し付けを許容する押付ガイド部を備えたことを特徴とする。【００１３】
上記ダミーケーブルは、フラットケーブルと略同等の幅に形成して、リテーナとロテータとを電気的に接続しない帯状体、あるいは導体を有するがロテータとステータとを電気的に接続しないフラットケーブルなどとすることができる。なお、ダミーケーブルは、内部に導体を含まず絶縁性を有する絶縁部材のみで形成してもよい。【００１４】
この発明により、砂塵等の異物が混入しても、ロテータとステータとの電気的な接続を確実に維持できる回転コネクタ装置を提供することができる。  
具体的には、ダミーケーブルは、フラットケーブルと異なり、ロテータ側とステータ側とを非電気的に接続している。そして、ロテータが時計回りに回転すると、ダミーケーブルの反転部分が押付ガイド部に押し付けられ、その押し付け力によって、リテーナは、時計回りに回転することができる。【００１５】
一方、ロテータが反時計回りに回転すると、ダミーケーブルの反転部分が回転ローラーに沿って、反時計回りに引っ張られることにより、リテーナは、反時計回りに回転することができる。【００１６】
つまり、ロテータが回転した際、ダミーケーブルの反転部分が、押付ガイド部あるいは回転ローラーに接触して、砂塵等の異物とともに擦れ動いて摩耗しても、ロテータとステータとは、フラットケーブルによって電気的な接続を確実に維持することができる。【００１７】
また、ダミーケーブルの弾性によって、押付ガイド部に押し付けられたダミーケーブルの反転部分が、座屈したり折れ曲がることを防止することができる。【００１８】
さらに、ダミーケーブルの反転部分の長さ方向両端には、ダミーケーブルの弾性による反発力がステータ及びロテータの径方向に発生する。詳しくは、ダミーケーブルの反転部分におけるステータ側端部には径方向外側に向かって反発力が生じ、一方、ロテータ側端部には径方向内側に向かって反発力が生じる。これにより、ダミーケーブルは、ロテータ側及びステータ側の径方向に押し付けられながら、巻き締め及び巻き戻しが行われるので、ダミーケーブルのたるみなどの発生を抑制することができ、確実に押付ガイド部に当接することができる。【００１９】
よって、ダミーケーブルの弾性により、リテーナを確実にダミーケーブルで回転させることができるとともに、ロテータの回転に追従してよりスムーズに回転させることができる。そして、ダミーケーブルによりリテーナがスムーズに回転するため、フラットケーブルに過度な負荷がかかることなく、巻き締め及び巻き戻しを行うことができ、フラットケーブルの断線などを防止することができる。【００２０】
従って、ロテータとステータとを非電気的に接続したダミーケーブルでリテーナを回転させることにより、砂塵等の異物が混入しても、ロテータとステータとの電気的な接続を確実に維持することができる。【００２１】
この発明の態様として、前記フラットケーブルの反転部分を、前記回転ローラー間の周方向略中間に配置し、前記回転ローラー近傍の前記リテーナ上に、前記ロテータの回転に追従して前記リテーナが回転を開始する間に、前記フラットケーブルの前記反転部分が周方向に移動する移動範囲以上の間隔を設けて、前記ダミーケーブルあるいは前記フラットケーブルの径方向の動きを規制する規制部を立設することができる。【００２２】
この発明により、ロテータ静止時において、フラットケーブルの反転部分を、リテーナの規制部に対して十分な間隔を確保して配置することができる。よって、ロテータが回転しても、フラットケーブルの反転部分が、リテーナの規制部と接触することを防止できる。【００２３】
つまり、フラットケーブルの反転部分に砂塵等の異物が付着しても、フラットケーブルの反転部分が、リテーナの規制部と擦れながら巻き締め及び巻き戻されることがないため、フラットケーブルの摩耗や損傷を防止することができる。【００２４】
また、ロテータが回転してもフラットケーブルの反転部分が、リテーナの規制部に接触しないことにより、リテーナは、ロテータの回転に追従してスムーズに回転することができる。【００２５】
従って、リテーナの規制部に対して十分な間隔を確保してフラットケーブルの反転部分を配置することにより、砂塵等の異物が混入したままロテータが回転しても、フラットケーブルが摩耗や損傷するおそれがないので、ロテータとステータとの電気的な接続をより確実に維持することができる。【００２６】
また、この発明の態様として、前記ダミーケーブルの長手方向の長さを前記フラットケーブルの長手方向の長さより短く形成することができる。【００２７】
この発明により、ダミーケーブルは、フラットケーブルに重ね合わせた状態で、ロテータに巻き付けることができる。これにより、ダミーケーブルの反転部分における反発力によって巻き締め及び巻き戻し時に生じるフラットケーブルのたるみなどを抑制することができ、フラットケーブルがリテーナなどに接触して摩耗や損傷することを防止できる。【００２８】
従って、ダミーケーブルの長手方向の長さを、フラットケーブルの長手方向の長さより短くすることにより、フラットケーブルがリテーナの規制部などに接触することをより確実に防止することで、砂塵等の異物が混入してもロテータとステータとの電気的な接続をさらに確実に維持することができる。
【発明の効果】
【００２９】
本発明により、砂塵等の異物が混入しても、ロテータとステータとの電気的な接続を確実に維持できる回転コネクタ装置を提供することができる。
【図面の簡単な説明】
【００３０】
【図１】ステアリングロールコネクタの外観を示す斜視図。
【図２】ステアリングロールコネクタの分解状態を示す分解斜視図。
【図３】ロテータを外した状態を示すステアリングロールコネクタの平面図。
【図４】図１中のＡ−Ａ線矢視断面図。
【図５】ロテータ回転時における収容空間内の状態を示す平面図。
【図６】別の実施形態におけるロテータを外した状態を示すステアリングロールコネクタの平面図。
【図７】従来技術の押付ガイド部を示す平面図。
【発明を実施するための形態】
【００３１】
この発明の一実施形態を以下図面と共に説明する。  
【実施例１】
【００３２】
なお、図１は、ステアリングロールコネクタ１０の外観の斜視図を示し、図２は、ステアリングロールコネクタ１０の分解状態の分解斜視図を示し、図３は、ロテータ２０を外した状態の本実施形態のステアリングロールコネクタ１０の平面図を示し、図４は、図１中のＡ−Ａ線矢視断面図を示している。【００３３】
本実施形態のステアリングロールコネクタ１０は、図１から図４に示すように、ケーブルハウジング１０ａと、リテーナ４０と、回転ロック構成体５０とで構成している。【００３４】
ケーブルハウジング１０ａは、図３及び図４に示すように、平面視中央部分にステアリングの回転軸方向（図４中の上下方向）に貫通した差込孔Ｈが形成された略円筒状に構成している。差込孔Ｈは、ステアリングコラム（図示省略）から突出するステアリングシャフト（図示省略）の挿入を許容する径で形成している。そして、ケーブルハウジング１０ａは、互いに相対回転可能なステータ３０と、ロテータ２０とで構成している。  
なお、ステアリングシャフトの上端部には、回転操作を行うためのステアリングホイール（図示省略）を固定している。【００３５】
回転ロック構成体５０は、図２に示すように、ロック体５１とバネ受けスリーブ５３と、ロック体５１およびバネ受けスリーブ５３との間に介在する戻しバネ５２とで構成している。【００３６】
バネ受けスリーブ５３を戻しバネ５２の付勢力に抗して押し上げることでステータ３０に対してロテータ２０が相対回転しないようロック体５１でロックすることができ、或いは、ステアリングホイールの芯金のボス部（図示省略）を挿入することで自由に相対回転することを許容するようロック体５１によるロックを解除することができる。【００３７】
ロテータ２０は、図２に示すように、環状に形成された天板として機能する回転側リング板２１と、この回転側リング板２１の内周縁から下方に向かって延びる円筒状の内周筒部２２とで構成している。【００３８】
そして、ロテータ２０は、ステアリングホイールに固定され、ステアリングホイールとともに一体的に回転する構成である。詳しくは、ロテータ２０は、ステアリングホイールの回転軸と同一の軸回りに回転することができる。【００３９】
また、ロテータ２０には、ロテータ２０の回転に伴って一体的に回転するロテータ側コネクタ２３を備えている。  
ロテータ側コネクタ２３は、第１ロテータ側コネクタ２３ａと第２ロテータ側コネクタ２３ｂとで構成している。第１ロテータ側コネクタ２３ａと第２ロテータ側コネクタ２３ｂとは、回転側リング板２１の周方向において、所定間隔を隔ててコネクタ接続口が上向きになるように配置している。【００４０】
そして、ロテータ側コネクタ２３（２３ａ、２３ｂ）は、例えば、ステアリングホイールに配置されるホーンスイッチ、エアバッグユニットなどの電気回路から引き出されたケーブル（図示省略）にそれぞれ接続している。【００４１】
ステータ３０は、車体側の適宜の部材、例えばステアリングコラム内部に配設しているコンビネーションブラケットスイッチ（図示省略）に固定して、ステアリングホイールに対して相対回転可能に取り付けている。ステータ３０は、図２に示すように、環状に形成した底板として機能する固定側リング板３１と、この固定側リング板３１の外周縁から上方に向かって延びる円筒状の外周筒部３２とで構成し、固定側リング板３１の外周縁と外周筒部３２の下端とを嵌合することで一体に構成している。【００４２】
外周筒部３２は、図３及び図４に示すように、円筒状の外側外周筒部３２ｏと、外側外周筒部３２ｏよりも僅かに小径である円筒状の内側外周筒部３２ｉとで構成し、外側外周筒部３２ｏと内側外周筒部３２ｉとが半径方向において近接して対向するよう同心円状に配置した径方向の２層構造で構成している。【００４３】
また、内側外周筒部３２ｉの上部には、図４に示すように、半径方向の内側（径内方向）へ向けて突出し、後述するフラットケーブルＣ及びダミーケーブルＤを上方からガイドするガイド突出片３３を鍔状に形成している。【００４４】
また、ステータ３０には、ステータ側コネクタ３４を備えている。  
ステータ側コネクタ３４は、第１ステータ側コネクタ３４ａと第２ステータ側コネクタ３４ｂとで構成している。第１ステータ側コネクタ３４ａと第２ステータ側コネクタ３４ｂとは、所定間隔を隔ててそれぞれのコネクタ接続口が同じ方向を向くように外周筒部３２（外側外周筒部３２ｏ）の外側に配置している。【００４５】
そして、ステータ側コネクタ３４（３４ａ、３４ｂ）は、ロアコラムカバー（図示省略）内において車体側の電気回路等から引き出されたケーブル（図示省略）にそれぞれ接続している。【００４６】
このようなステータ３０とロテータ２０とをステアリングシャフトの回転軸と同軸上に組み付けたケーブルハウジング１０ａの内部において、図２から図４に示すように、ステータ３０の固定側リング板３１が、ロテータ２０の回転側リング板２１と回転軸方向で対面するとともに、ステータ３０の外周筒部３２が、ロテータ２０の内周筒部２２に対して半径方向外側で対面して収容空間Ｓを構成している。【００４７】
この収容空間Ｓには、リテーナ４０と、フラットケーブルＣ及びダミーケーブルＤとを収容している。  
リテーナ４０は、図２から図４に示すように、複数の回転ローラー４５とベースリング４１とで構成し、収容空間Ｓを構成するステータ３０の底面にロテータ２０の回転軸を中心にして回転可能に載置している。【００４８】
ベースリング４１は、平面視環状をした板状のベースリング本体部４２とローラー支持突部４３と径方向規制部４４と押付ガイド部４６とで構成している。  
ベースリング本体部４２は、固定側リング板３１に対して回転方向に摺動可能に載置し、ステータ３０に対して相対回転可能に構成している。  
ローラー支持突部４３は、ベースリング本体部４２の周方向に等間隔ごとに回転ローラー４５を軸支可能に上方に向けて突出している。【００４９】
径方向規制部４４は、周方向に隣接するローラー支持突部４３の間において、フラットケーブルＣ及びダミーケーブルＤの経路によって異なる形状に形成した第１径方向規制部４４ａ、第２径方向規制部４４ｂ、第３径方向規制部４４ｃ、及び第４径方向規制部４４ｄで構成し、ベースリング本体部４２に対して上方に向けて立設している。【００５０】
第１径方向規制部４４ａは、複数のローラー支持突部４３に軸支した回転ローラー４５のうち１つにＵ字型に巻き掛かるようにして向きを反転させたダミーケーブルＤ（後述するダミーケーブルＤの反転部分Ｄｒ）の長さ方向凸面側に近接した位置に立設している。【００５１】
そして、第１径方向規制部４４ａは、平面視においてロテータ２０の内周筒部２２の外周面に沿うように巻かれたフラットケーブルＣ（後述するフラットケーブルＣの内側巻き部分Ｃｉ）及びダミーケーブルＤ（後述するダミーケーブルＤの内側巻き部分Ｄｉ）を径外側からガイドするように径外側に開口を有する平面視略凹状に形成している。【００５２】
さらに、第１径方向規制部４４ａには、ダミーケーブルＤの反転部分Ｄｒと対面する端面に、押付ガイド部４６を一体に形成している。  
この押付ガイド部４６は、平面視においてダミーケーブルＤの反転部分Ｄｒに沿うように略弓形に湾曲して形成している。【００５３】
第２径方向規制部４４ｂは、ダミーケーブルＤの反転部分Ｄｒを巻き掛けているローラー支持突部４３から第１径方向規制部４４ａを隔てて周方向に隣接するローラー支持突部４３に近接し、該ローラー支持突部４３を挟んで第１径方向規制部４４ａと周方向において対向する位置に立設している。【００５４】
そして、第２径方向規制部４４ｂは、平面視において近接するローラー支持突部４３側に開口を有する平面視略凹状に形成している。また、第２径方向規制部４４ｂは、フラットケーブルＣの内側巻き部分Ｃｉ及びダミーケーブルＤの内側巻き部分Ｄｉを径外側からガイドしている。【００５５】
第３径方向規制部４４ｃは、第２径方向規制部４４ｂと、第２径方向規制部４４ｂに近接するローラー支持突部４３から第２径方向規制部４４ｂが立設する周方向に隣接するローラー支持突部４３との間において、該ローラー支持突部４３に近接する位置に立設している。【００５６】
そして、第３径方向規制部４４ｃは、平面視において近接するローラー支持突部４３側に開口を有する平面視略凹状に形成している。また、第３径方向規制部４４ｃは、フラットケーブルＣの内側巻き部分Ｃｉ及びダミーケーブルＤの内側巻き部分Ｄｉを径外側からガイドしている。【００５７】
第４径方向規制部４４ｄは、第１径方向規制部４４ａ、第２径方向規制部４４ｂ、及び第３径方向規制部４４ｃを立設していない隣接するローラー支持突部４３間に立設している。【００５８】
そして、第４径方向規制部４４ｄは、平面視においてロテータ２０の内周筒部２２の外周面に沿うように巻かれたフラットケーブルＣの内側巻き部分Ｃｉ及びダミーケーブルＤの内側巻き部分Ｄｉを径外側からガイドするように径外側に開口を有する平面視略凹状に形成している。【００５９】
回転ローラー４５は、それぞれローラー支持突部４３に軸支され、それぞれがロテータ２０の回転軸と平行な軸を中心として回転可能に設けている。【００６０】
フラットケーブルＣは、複数の扁平な導体を所定のピッチで平行に配列し、絶縁被覆体で被覆した可撓性を有する帯状の伝送線であって、収容空間Ｓにおいて巻き回した状態で収容し、第１ロテータ側コネクタ２３ａと第１ステータ側コネクタ３４ａとを相互に電気的に接続している。【００６１】
詳述すると、フラットケーブルＣにおける長さ方向の一端を第１ロテータ側コネクタ２３ａに接続し、他端を第１ステータ側コネクタ３４ａに接続している。  
そして、フラットケーブルＣは、ケーブルハウジング１０ａの内部の収容空間Ｓにおいて、固定側リング板３１に対して回転自在に載置されたリテーナ４０によって支持され、巻回した状態で収容している。【００６２】
より詳しくは、フラットケーブルＣは、収容空間Ｓにおいて、第１ステータ側コネクタ３４ａから収容空間Ｓへ引き込まれ、図３及び図４に示すように、リテーナ４０の外側でステータ３０の外周筒部３２（内側外周筒部３２ｉ）の内周面に沿うように巻かれた外側巻き部分Ｃｏを構成している。【００６３】
そして、図３中の二点鎖線で示すように、フラットケーブルＣは、長さ方向の途中で、第２径方向規制部４４ｂに近接する回転ローラー４５にＵ字型に巻き掛かるようにして向きを反転させた反転部分Ｃｒを構成している。なお、反転部分Ｃｒは、第２径方向規制部４４ｂ及び第３径方向規制部４４ｃの間において、それぞれに対して十分な間隔を確保できるように周方向略中間に配置している。【００６４】
さらに、フラットケーブルＣは、反転部分Ｃｒより長さ方向の先端側によって、リテーナ４０の内側でロテータ２０の内周筒部２２の外周面に沿うように巻かれた内側巻き部分Ｃｉを構成している。フラットケーブルＣは、最終的には収容空間Ｓから引き出されて第１ロテータ側コネクタ２３ａに接続している。【００６５】
また、ダミーケーブルＤは、絶縁被覆体で被覆した弾性を有する可撓性の帯状ケーブルであって、その長さ方向においてフラットケーブルＣの長さよりも短く形成している。そして、ダミーケーブルＤは、収容空間Ｓにおいて、フラットケーブルＣに重ね合わせた２本一組の状態で巻き重ねて収容し、ロテータ２０とステータ３０とを非電気的に接続している。【００６６】
詳述すると、ダミーケーブルＤにおける長さ方向の一端を第１ロテータ側コネクタ２３ａ近傍に接続固定し、他端を第１ステータ側コネクタ３４ａ近傍に接続固定している。【００６７】
そして、ダミーケーブルＤは、収容空間Ｓにおいて、フラットケーブルＣに重ね合わせた２本一組の状態で第１ステータ側コネクタ３４ａから収容空間Ｓへ引き込まれ、図３及び図４に示すように、リテーナ４０の外側でステータ３０の外周筒部３２（内側外周筒部３２ｉ）の内周面に沿うように巻かれた外側巻き部分Ｄｏを構成している。【００６８】
そして、図３中の二点鎖線で示すように、ダミーケーブルＤは、長さ方向の途中で、押付ガイド部４６に近接する回転ローラー４５にＵ字型に巻き掛かるようにして向きを反転させた反転部分Ｄｒを構成している。【００６９】
さらに、ダミーケーブルＤは、反転部分Ｄｒより長さ方向の先端側によって、フラットケーブルＣに重ね合わせた２本一組の状態で、リテーナ４０の内側でロテータ２０の内周筒部２２の外周面に沿うように巻かれた内側巻き部分Ｄｉを構成している。ダミーケーブルＤは、最終的には収容空間Ｓから引き出されて第１ロテータ側コネクタ２３ａ近傍に接続固定している。【００７０】
なお、フラットケーブルＣ及びダミーケーブルＤは、収容空間Ｓにおいて上述したように２本一組として重ね合わせて巻き回しているが、図３及び図４では、簡略化して一本のみを巻き回した状態で図示している。【００７１】
次に、このような構成のステアリングロールコネクタ１０において、ロテータ２０が時計回り及び反時計回りに回転した際、収容空間ＳにおけるフラットケーブルＣ及びダミーケーブルＤの動作について図５を用いて説明する。【００７２】
なお、図５は、ロテータ２０の回転時における収容空間Ｓ内の状態の平面図を示し、図５（ａ）は、ロテータ２０が時計回り（図５中のＸ方向）に回転した状態を示し、図５（ｂ）は、ロテータ２０が反時計回り（図５中のＹ方向）に回転した状態を示している。【００７３】
また、図５中において、ロテータ２０の静止時におけるフラットケーブルＣの反転部分Ｃｒ及びダミーケーブルＤの反転部分Ｄｒの状態を二点鎖線で示している。さらに、フラットケーブルＣ及びダミーケーブルＤは、収容空間Ｓにおいて上述したように２本一組として重ね合わせて巻き回しているが、図５では、簡略化して一本のみを巻き回した状態で図示している。【００７４】
ロテータ２０が時計回り（図５中のＸ方向）に回転すると、図５（ａ）に示すように、収容空間Ｓの内部において、フラットケーブルＣ及びダミーケーブルＤは、ロテータ２０がステータ３０に対して回転することにより、フラットケーブルＣの外側巻き部分Ｃｏと内側巻き部分Ｃｉとの間、及びダミーケーブルＤの外側巻き部分Ｄｏと内側巻き部分Ｄｉとの間で、それぞれ巻き付けと巻き解きのいずれかが行われる。【００７５】
このとき、フラットケーブルＣは、外側巻き部分Ｃｏと内側巻き部分Ｃｉとの間の巻き状態のバランスの変化に追従するように反転部分Ｃｒがリテーナ４０とともに適宜回転する。【００７６】
同様に、ダミーケーブルＤは、外側巻き部分Ｄｏと内側巻き部分Ｄｉとの間の巻き状態のバランスの変化に追従するように反転部分Ｄｒがリテーナ４０とともに適宜回転する。【００７７】
詳述すると、ロテータ２０が時計回り（図５中のＸ方向）に回転すると、図５（ａ）に示すように、フラットケーブルＣの内側巻き部分Ｃｉ及びダミーケーブルＤの内側巻き部分Ｄｉが巻き解かれる。【００７８】
このとき、リテーナ４０の周方向において、ダミーケーブルＤの反転部分Ｄｒを巻き掛けた回転ローラー４５と押付ガイド部２６の間隔に対して、第２径方向規制部４４ｂと第３径方向規制部４４ｃの間隔が大きく確保されている。【００７９】
さらに、フラットケーブルＣの反転部分Ｃｒを第２径方向規制部４４ｂと第３径方向規制部４４ｃとの間において周方向略中間に配置しているため、ダミーケーブルＤの反転部分Ｄｒは、図５（ａ）に示すように、フラットケーブルＣの反転部分Ｃｒが第３径方向規制部４４ｃに接触する前に、押付ガイド部４６に押し付けられる。【００８０】
ダミーケーブルＤの反転部分Ｄｒが押付ガイド部４６に押し付けられると、その押し付け力によって、リテーナ４０は、ロテータ２０の回転に追従するように時計回り（図５中のＸ方向）に回転する。【００８１】
そして、フラットケーブルＣの反転部分Ｃｒ及びダミーケーブルＤの反転部分Ｄｒは、リテーナ４０とともに回転しながら、それぞれフラットケーブルＣの外側巻き部分Ｃｏと、ダミーケーブルＤの外側巻き部分Ｄｏに巻き付けられる。【００８２】
このとき、フラットケーブルＣの反転部分Ｃｒは、第２径方向規制部４４ｂ及び第３径方向規制部４４ｃに対して、一定の間隔を保ったままリテーナ４０とともに回転する。【００８３】
一方、ロテータ２０が反時計回り（図５中のＹ方向）に回転すると、図５（ｂ）に示すように、収容空間Ｓの内部において、フラットケーブルＣ及びダミーケーブルＤは、ロテータ２０がステータ３０に対して回転することにより、フラットケーブルＣの外側巻き部分Ｃｏと内側巻き部分Ｃｉ及びダミーケーブルＤの外側巻き部分Ｄｏと内側巻き部分Ｄｉとの間で、それぞれ巻き解きと巻き付けのいずれかが行われる。【００８４】
このとき、フラットケーブルＣは、外側巻き部分Ｃｏと内側巻き部分Ｃｉとの間の巻き状態のバランスの変化に追従するように反転部分Ｃｒがリテーナ４０とともに適宜回転する。【００８５】
同様に、ダミーケーブルＤは、外側巻き部分Ｄｏと内側巻き部分Ｄｉとの間の巻き状態のバランスの変化に追従するように反転部分Ｄｒがリテーナ４０とともに適宜回転する。【００８６】
詳述すると、ロテータ２０が反時計回り（図５中のＹ方向）に回転すると、図５（ｂ）に示すように、フラットケーブルＣの反転部分Ｃｒ及びダミーケーブルＤの反転部分Ｄｒがロテータ２０の内周筒部２２の外周面に巻き付けられる。【００８７】
このとき、リテーナ４０の周方向において、ダミーケーブルＤの反転部分Ｄｒを巻き掛けた回転ローラー４５と押付ガイド部２６の間隔に対して、第２径方向規制部４４ｂと第３径方向規制部４４ｃの間隔が大きく確保されている。【００８８】
さらに、フラットケーブルＣの反転部分Ｃｒを第２径方向規制部４４ｂと第３径方向規制部４４ｃとの間において周方向略中間に配置しているため、ダミーケーブルＤの反転部分Ｄｒは、図５（ｂ）に示すように、フラットケーブルＣの反転部分Ｃｒが第２径方向規制部４４ｂに接触する前に、回転ローラー４５に接触する。【００８９】
そして、ダミーケーブルＤの反転部分Ｄｒが回転ローラー４５に沿って、反時計回り（図５中のＹ方向）に引っ張れることにより、リテーナ４０は、ロテータ２０の回転に追従するように反時計回りに回転する。【００９０】
その後、フラットケーブルＣの反転部分Ｃｒ及びダミーケーブルＤの反転部分Ｄｒは、リテーナ４０とともに回転しながら、それぞれフラットケーブルＣの内側巻き部分Ｃｉと、ダミーケーブルの内側巻き部分Ｄｉに巻き付けられる。【００９１】
このとき、フラットケーブルＣの反転部分Ｃｒは、第２径方向規制部４４ｂ及び第３径方向規制部４４ｃに対して、一定の間隔を保ったままリテーナ４０とともに回転する。【００９２】
以上のような動作を実現できる上述の構成のステアリングロールコネクタ１０は、砂塵等の異物が混入しても、ロテータ２０とステータ３０との電気的な接続を確実に維持することができる。【００９３】
具体的には、フラットケーブルＣと異なり、ロテータ２０側とステータ３０側とを非電気的に接続しているダミーケーブルＤにより、ロテータ２０が時計回りに回転すると、ダミーケーブルＤの反転部分Ｄｒが押付ガイド部４６に押し付けられ、その押し付け力によって、リテーナ４０は、時計回りに回転することができる。【００９４】
一方、ロテータ２０が反時計回りに回転すると、ダミーケーブルＤの反転部分Ｄｒが回転ローラー４５に沿って、反時計回りに引っ張られることにより、リテーナ４０は、反時計回りに回転することができる。【００９５】
つまり、ロテータ２０が回転した際、ダミーケーブルＤの反転部分Ｄｒが、砂塵等の異物とともに、押付ガイド部４６あるいは回転ローラー４５に接触しながら擦れ動いて摩耗しても、ロテータ２０とステータ３０とは、フラットケーブルＣによって電気的な接続を確実に維持することができる。【００９６】
また、ダミーケーブルＤの弾性によって、押付ガイド部４６に押し付けられたダミーケーブルＤの反転部分Ｄｒが、座屈したり折れ曲がることを防止することができる。【００９７】
さらに、ダミーケーブルＤの反転部分Ｄｒの長さ方向両端には、ダミーケーブルＤの弾性による反発力がロテータ２０及びステータ３０の径方向に発生する。詳しくは、ダミーケーブルＤの反転部分Ｄｒにおけるステータ３０側の端部には径方向外側に向かって反発力が生じ、一方、ロテータ２０側の端部には径方向内側に向かって反発力が生じる。これにより、ダミーケーブルＤは、ロテータ２０及びステータ３０に押し付けられながら、巻き締め及び巻き戻しが行われるので、ダミーケーブルＤのたるみなどを抑制でき、確実に押付ガイド部４６に当接することができる。【００９８】
よって、ダミーケーブルＤの弾性により、リテーナ４０を確実にダミーケーブルＤで回転させることができるとともに、ロテータ２０の回転に追従してよりスムーズに回転させることができる。そして、ダミーケーブルＤによりリテーナ４０がスムーズに回転するため、フラットケーブルＣに過度な負荷がかかることなく、巻き締め及び巻き戻しを行うことができ、フラットケーブルＣの断線などを防止することができる。【００９９】
加えて、フラットケーブルＣの上にダミーケーブルＤを重ね合わせているため、ダミーケーブルＤの反転部分Ｄｒにおける反発力により、巻き締め及び巻き戻し時に生じるフラットケーブルＣのたるみなどを抑制することができ、フラットケーブルＣがリテーナ４０などに接触して摩耗や損傷することを防止できる。【０１００】
従って、ロテータ２０とステータ３０とを非電気的に接続したダミーケーブルＤでリテーナ４０を回転させることにより、砂塵等の異物が混入しても、ロテータ２０とステータ３０との電気的な接続を確実に維持することができる。【０１０１】
また、ロテータ２０の回転に追従してリテーナ４０が回転を開始する間に、フラットケーブルＤの反転部分Ｄｒが周方向に移動する範囲以上の間隔を確保して径方向規制部４４を立設したことにより、ロテータ２０の静止時において、フラットケーブルＣの反転部分Ｃｒを、リテーナ４０の第２径方向規制部４４ｂ及び第３径方向規制部４４ｃに対して十分な間隔を確保して配置することができる。よって、ロテータ２０が回転しても、フラットケーブルＣの反転部分Ｃｒが、リテーナ４０の第２径方向規制部４４ｂ及び第３径方向規制部４４ｃと接触することを防止できる。【０１０２】
つまり、フラットケーブルＣの反転部分Ｃｒに砂塵等の異物が付着しても、フラットケーブルＣの反転部分Ｃｒが、リテーナ４０の第２径方向規制部４４ｂ及び第３径方向規制部４４ｃと擦れながら巻き締め及び巻き戻されることがないため、フラットケーブルＣの摩耗や損傷を防止することができる。【０１０３】
これにより、リテーナ４０がロテータ２０の回転に追従してスムーズに回転することができ、フラットケーブルＣに過度な負荷がかかることなく、巻き締め及び巻き戻しが行うことができる。【０１０４】
従って、リテーナ４０の第２径方向規制部４４ｂ及び第３径方向規制部４４ｃに対して十分な間隔を確保してフラットケーブルＣの反転部分Ｃｒを配置することにより、砂塵等の異物が混入したままロテータ２０が回転しても、フラットケーブルＣが摩耗や損傷するおそれがないため、ロテータ２０とステータ３０との電気的な接続をより確実に維持することができる。
【実施例２】
【０１０５】
次に、別の実施形態として、フラットケーブルが２本の場合について図６を用いて説明する。  
なお、図６は、実施例２におけるロテータ２０を外した状態のステアリングロールコネクタ１０の平面図を示している。  
また、上述した実施例１と同じ構成要素は、同じ符号を付与して、その詳細な説明を省略する。【０１０６】
実施例２におけるステアリングロールコネクタ１０は、図６に示すように、収容空間Ｓにおいて、上述した実施例１にフラットケーブルＦを加えた構成としている。また、フラットケーブルＦを加えたことにより、実施例１に対して、リテーナ４０の径方向規制部４４の構成が異なる。【０１０７】
詳述すると、リテーナ４０には、ダミーケーブルＤの反転部分Ｄｒを巻き掛けた回転ローラー４５に近接して、該回転ローラー４５を挟んで第１径方向規制部４４ａと周方向に対向する位置に第３径方向規制部４４ｃを立設している。【０１０８】
さらに、該第３径方向規制部４４ｃと、ダミーケーブルＤの反転部分Ｄｒを巻き掛けた回転ローラー４５と周方向に隣接する回転ローラー４５との間において、該回転ローラー４５に近接する位置に第２径方向規制部４４ｂを立設している。【０１０９】
また、フラットケーブルＦは、複数の扁平な導体を所定のピッチで平行に配列し、絶縁被覆体で被覆した可撓性を有する帯状の伝送線であって、その長さ方向においてダミーケーブルＤの長さよりも短く形成している。そして、フラットケーブルＦは、収容空間ＳにおいてダミーケーブルＤ及びフラットケーブルＣとともに３本を重ね合わせて巻き回した状態で収容し、第２ロテータ側コネクタ２３ｂと第２ステータ側コネクタ３４ｂとを相互に電気的に接続している。【０１１０】
詳述すると、フラットケーブルＦにおける長さ方向の一端を第２ロテータ側コネクタ２３ｂに接続し、他端を第２ステータ側コネクタ３４ｂに接続している。【０１１１】
そして、フラットケーブルＦは、ケーブルハウジング１０ａの内部の収容空間Ｓにおいて、固定側リング板３１に対して回転自在に載置されたリテーナ４０によって支持され、フラットケーブルＣ及びダミーケーブルＤと重ね合わせて巻回した状態で収容している。【０１１２】
より詳しくは、フラットケーブルＦは、収容空間Ｓにおいて、第２ステータ側コネクタ３４ｂから収容空間Ｓへ引き込まれ、図６に示すように、フラットケーブルＣ及びダミーケーブルＤに重ね合わせた３本一組の状態でリテーナ４０の外側でステータ３０の外周筒部３２（内側外周筒部３２ｉ）の内周面に沿うように巻かれた外側巻き部分Ｆｏを構成している。【０１１３】
このとき、フラットケーブルＣ、ダミーケーブルＤ、フラットケーブルＦの順に重ね合わせた３本一組の状態において、フラットケーブルＣがステータ３０の内側外周筒部３２ｉの内周面に接触するように巻き付けている。【０１１４】
そして、図６中の二点鎖線で示すように、フラットケーブルＦは、長さ方向の途中で、ダミーケーブルＤの反転部分Ｄｒを巻き掛けている回転ローラー４５から第１径方向規制部４４ａとは周方向に逆方向に隣接する回転ローラー４５にＵ字型に巻き掛かるようにして向きを反転させた反転部分Ｆｒを構成している。なお、反転部分Ｆｒは、第２径方向規制部４４ｂ及び第３径方向規制部４４ｃ間において、それぞれに対して十分な間隔を確保するように周方向略中間に配置している。【０１１５】
さらに、フラットケーブルＦにおいて、反転部分Ｆｒより長さ方向の先端側によって、フラットケーブルＣ及びダミーケーブルＤに重ね合わせた３本一組の状態で、リテーナ４０の内側でロテータ２０の内周筒部２２の外周面に沿うように巻かれた内側巻き部分Ｆｉを構成している。フラットケーブルＦは、最終的には収容空間Ｓから引き出されて第２ロテータ側コネクタ２３ｂに接続している。【０１１６】
このとき、フラットケーブルＣ、ダミーケーブルＤ、フラットケーブルＦの順に重ね合わせた３本一組の状態において、フラットケーブルＣがロテータ２０の内周筒部２２の外周面に接触するように巻き付けている。【０１１７】
なお、フラットケーブルＣ、Ｆ及びダミーケーブルＤは、収容空間Ｓにおいて、上述したように３本一組として重ね合わせて巻き回しているが、図６では、簡略化して一本のみを巻き回した状態で図示している。【０１１８】
このようなフラットケーブルＣ、Ｆ及びダミーケーブルＤを有するステアリングロールコネクタ１０において、ロテータ２０が時計回りに回転すると、フラットケーブルＣの反転部分Ｃｒと同様に、フラットケーブルＦの反転部分Ｆｒを第３径方向規制部４４ｃに対して周方向に十分な間隔を確保して配置しているので、フラットケーブルＦの反転部分Ｆｒが第３径方向規制部４４ｃに接触する前に、ダミーケーブルＤの反転部分Ｄｒは、押付ガイド部４６に押し付けられる。【０１１９】
ダミーケーブルＤの反転部分Ｄｒが押付ガイド部４６に押し付けられると、その押し付け力によって、リテーナ４０は、ロテータ２０の回転に追従するように時計回りに回転する。【０１２０】
このとき、フラットケーブルＦの反転部分Ｆｒは、第２径方向規制部４４ｂ及び第３径方向規制部４４ｃに対して、一定の間隔を保ったままリテーナ４０とともに回転する。【０１２１】
一方、ロテータ２０が反時計回りに回転すると、フラットケーブルＣの反転部分Ｃｒ及びフラットケーブルＦの反転部分Ｆｒが第２径方向規制部４４ｂに接触する前に、ダミーケーブルＤの反転部分Ｄｒが回転ローラー４５に接触する。【０１２２】
そして、ダミーケーブルＤの反転部分Ｄｒが回転ローラー４５に沿って、反時計回りに引っ張れることにより、リテーナ４０は、ロテータ２０の回転に追従するように反時計回りに回転する。【０１２３】
このとき、フラットケーブルＦの反転部分Ｆｒは、第２径方向規制部４４ｂ及び第３径方向規制部４４ｃに対して、一定の間隔を保ったままリテーナ４０とともに回転する。【０１２４】
以上のように、フラットケーブルが複数本あるステアリングロールコネクタ１０においても、フラットケーブルＣ、Ｆが第２径方向規制部４４ｂ及び第３径方向規制部４４ｃに接触する前に、ダミーケーブルＤが押付ガイド部４６に押し付けられることにより、砂塵等の異物が混入しても、ロテータ２０とステータ３０との電気的な接続を確実に維持することができる。【０１２５】
また、フラットケーブルＦの反転部分Ｆｒの長さ方向両端には、導体の弾性による反発力がロテータ２０及びステータ３０の径方向に発生する。この反発力により、フラットケーブルＦの巻き締め及び巻き戻し時に生じるたるみなどを抑制することができる。【０１２６】
さらに、ダミーケーブルＤの上にフラットケーブルＦを重ね合わせているため、フラットケーブルＦの反転部分Ｆｒにおける反発力により、ダミーケーブルＤ及びフラットケーブルＣの巻き締め及び巻き戻し時に生じるたるみなどを抑制することができる。  
従って、フラットケーブルＣ及びフラットケーブルＦがリテーナ４０の径方向規制部４４などに接触して摩耗や損傷することを防止できる。【０１２７】
また、フラットケーブルＣとフラットケーブルＦとの間に、ダミーケーブルＤを重ね合わせたことにより、ダミーケーブルＤをフラットケーブルＣとフラットケーブルＦとの間における絶縁体として機能させることができる。【０１２８】
これにより、フラットケーブルＣ及びフラットケーブルＦの絶縁被覆体を、より薄膜に形成して、ステアリングロールコネクタ１０の軽量化やコストダウンを図ることができる。【０１２９】
なお、上述の実施例２において、ダミーケーブルＤをフラットケーブルＣ、Ｆの間に重ね合わせたが、フラットケーブルＣ、ＦとダミーケーブルＤとの重ね合わせ方はこれに限定せず、フラットケーブルＣ、ＦにダミーケーブルＤを重ね合わせるなどしてもよい。【０１３０】
また、リテーナ４０上の円周方向において、ダミーケーブルＤの反転部分Ｄｒを挟んで、フラットケーブルＦの反転部分Ｆｒ、フラットケーブルＣの反転部分Ｃｒを配置したが、リテーナ４０上の円周方向における各反転部分の配置はこれに限定しない。【０１３１】
例えば、リテーナ４０上の円周方向において、ダミーケーブルＤの反転部分Ｄｒ、フラットケーブルＣの反転部分Ｃｒ、フラットケーブルＦの反転部分Ｆｒの順に配置するなどしてもよい。【０１３２】
また、上述の実施例１及び実施例２において、ダミーケーブルＤは、長さ方向の一端を第１ロテータ側コネクタ２３ａ近傍に、他端を第１ステータ側コネクタ３４ａ近傍に接続固定したが、これに限定しない。【０１３３】
例えば、ダミーケーブルＤの長さ方向の端部を、ロテータ２０の内周筒部２２やステータ３０の外周筒部３２に接続固定するなどしてもよい。あるいは、フラットケーブルＣ、Ｆの長さ方向における端部のコネクタ端子などに接続するようにしてもよい。【０１３４】
この発明の構成と、上述の実施形態との対応において、
この発明の回転コネクタ装置は、実施形態のステアリングロールコネクタ１０に対応し、
以下同様に、
規制部は、第２径方向規制部４４ｂ、第３径方向規制部４４ｃに対応するが、
この発明は、上述の実施形態の構成のみに限定されるものではなく、多くの実施の形態を得ることができる。
【符号の説明】
【０１３５】
１０…ステアリングロールコネクタ
２０…ロテータ
２１…回転側リング板
２２…内周筒部
３０…ステータ
３１…固定側リング
３２…外周筒部
４０…リテーナ
４５…回転ローラー
４４ｂ…第２径方向規制部
４４ｃ…第３径方向規制部
４６…押付ガイド部
Ｃ、Ｆ…フラットケーブル
Ｃｒ、Ｆｒ…反転部分
Ｄ…ダミーケーブル
Ｄｒ…反転部分
Ｓ…収容空間
【図１】
2012121313.tif 000003
【図２】
2012121313.tif 000004
【図３】
2012121313.tif 000005
【図４】
2012121313.tif 000006
【図５】
2012121313.tif 000007
【図６】
2012121313.tif 000008
【図７】
2012121313.tif 000009
【国際調査報告】
2012121313.tif 000010
2012121313.tif 000011
2012121313.tif 000012
2012121313.tif 000013